【手続補正書】
【提出日】平成25年12月2日(2013.12.2)
【手続補正１】
【補正対象書類名】特許請求の範囲
【補正対象項目名】全文
【補正方法】変更
【補正の内容】
【特許請求の範囲】
【請求項１】
撮像画素の一部の位置に焦点検出をするための位相差検出画素が配置された撮像素子と、
前記撮像素子の前記撮像画素及び前記位相差検出画素から画素データを読み出す際の読み出し方式を設定する読み出し方式設定部と、
前記位相差検出画素の画素データを補正処理する画像処理部と、
を具備し、
前記画像処理部は、前記読み出し方式設定部により設定された読み出し方式に応じて読み出された前記位相差検出画素の画素データと前記位相差検出画素の周辺の画素データからの補間データとの適用割合を切り替えるように前記補正処理を行い、
前記画像処理部は、
前記読み出し方式設定部により設定された読み出し方式に応じて読み出された前記位相差検出画素の画素データのゲイン調整をするゲイン調整部と、
前記ゲイン調整された位相差検出画素の画素データと該位相差検出画素の周辺の撮像画素の画素データとを重み付け加算する画素補間部と、
前記読み出し方式設定部により設定された読み出し方式に応じて前記重み付け加算の際の重み付け係数を前記適用割合として決定する補間割合決定部と、
を有し、
前記ゲイン調整部は、前記読み出し方式設定部により設定された読み出し方式に応じて前記ゲイン調整の際のゲイン調整量を切り替え、
前記補間割合決定部は、前記読み出し方式設定部により設定された読み出し方式に応じて読み出された画素データにおける前記位相差検出画素の画素データの混入率が高くなるほど、前記ゲイン調整された位相差検出画素の画素データの重み付け係数を小さくすることを特徴とする撮像装置。
【請求項２】
前記読み出し方式設定部は、前記読み出し方式が複数の画素データを混合する方式である場合には、画素データの水平方向の読み出し間隔及び垂直方向の読み出し間隔を設定することを特徴とする請求項１に記載の撮像装置。
【請求項３】
前記読み出し方式設定部により設定された前記読み出し方式が複数の画素データを混合する方式である場合には、前記撮像素子から読み出される画素データは加算平均処理される、積算処理される、又は重み付け加算平均処理されることを特徴とする請求項１に記載の撮像装置。
【請求項４】
前記混入率は、前記撮像素子における前記位相差検出画素の配置と読み出し方式との両方によって決定されることを特徴とする請求項１に記載の撮像装置。
【請求項５】
前記ゲイン調整部は、前記混入率に応じてゲイン調整量を切り替えることを特徴とする請求項１に記載の撮像装置。
【請求項６】
撮像素子の一部の位置に焦点検出をするための位相差検出画素が配置された撮像素子の撮像画素及び前記位相差検出画素から画素データを読み出す際の読み出し方式を設定し、
前記設定された読み出し方式に応じて前記撮像素子から読み出された前記位相差検出画素の画素データと前記位相差検出画素の周辺の画素データからの補間データとの適用割合を切り替えるように補正処理する際に、
前記設定された読み出し方式に応じて読み出された前記位相差検出画素の画素データのゲイン調整を行い、
前記ゲイン調整された位相差検出画素の画素データと該位相差検出画素の周辺の撮像画素の画素データとを重み付け加算し、
前記設定された読み出し方式に応じて前記重み付け加算の際の重み付け係数を前記適用割合として決定する際に、
前記設定された読み出し方式に応じて前記ゲイン調整の際のゲイン調整量を切り替え、前記設定された読み出し方式に応じて読み出された画素データにおける前記位相差検出画素の画素データの混入率が高くなるほど、前記ゲイン調整された位相差検出画素の画素データの重み付け係数を小さくする
ことを特徴とする撮像装置の制御方法。
【手続補正２】
【補正対象書類名】明細書
【補正対象項目名】発明の名称
【補正方法】変更
【補正の内容】
【発明の名称】撮像装置及び撮像装置の制御方法
【手続補正３】
【補正対象書類名】明細書
【補正対象項目名】０００１
【補正方法】変更
【補正の内容】
【０００１】
本発明は、一部の画素を位相差方式の位相差検出用素子として利用して焦点状態を検出
する撮像装置及びその制御方法に関する。
【手続補正４】
【補正対象書類名】明細書
【補正対象項目名】０００６
【補正方法】変更
【補正の内容】
【０００６】
本発明は、前記の事情に鑑みてなされたもので、位相差検出画素を有する撮像素子を備えた撮像装置において、位相差検出画素による画質の低下を抑えることが可能な撮像装置及びその制御方法を提供することを目的とする。
【手続補正５】
【補正対象書類名】明細書
【補正対象項目名】０００７
【補正方法】変更
【補正の内容】
【０００７】
前記の目的を達成するために、本発明の第１の態様の撮像装置は、撮像画素の一部の位置に焦点検出をするための位相差検出画素が配置された撮像素子と、前記撮像素子の前記撮像画素及び前記位相差検出画素から画素データを読み出す際の読み出し方式を設定する読み出し方式設定部と、前記位相差検出画素の画素データを補正処理する画像処理部とを具備し、前記画像処理部は、前記読み出し方式設定部により設定された読み出し方式に応じて読み出された前記位相差検出画素の画素データと前記位相差検出画素の周辺の画素データからの補間データとの適用割合を切り替えるように前記補正処理を行い、前記画像処理部は、前記読み出し方式設定部により設定された読み出し方式に応じて読み出された前記位相差検出画素の画素データのゲイン調整をするゲイン調整部と、前記ゲイン調整された位相差検出画素の画素データと該位相差検出画素の周辺の撮像画素の画素データとを重み付け加算する画素補間部と、前記読み出し方式設定部により設定された読み出し方式に応じて前記重み付け加算の際の重み付け係数を前記適用割合として決定する補間割合決定部とを有し、前記ゲイン調整部は、前記読み出し方式設定部により設定された読み出し方式に応じて前記ゲイン調整の際のゲイン調整量を切り替え、前記補間割合決定部は、前記読み出し方式設定部により設定された読み出し方式に応じて読み出された画素データにおける前記位相差検出画素の画素データの混入率が高くなるほど、前記ゲイン調整された位相差検出画素の画素データの重み付け係数を小さくすることを特徴とする。
【手続補正６】
【補正対象書類名】明細書
【補正対象項目名】０００８
【補正方法】変更
【補正の内容】
【０００８】
前記の目的を達成するために、本発明の第２の態様の撮像装置の制御方法は、撮像素子の一部の位置に焦点検出をするための位相差検出画素が配置された撮像素子の撮像画素及び前記位相差検出画素から画素データを読み出す際の読み出し方式を設定し、前記設定された読み出し方式に応じて前記撮像素子から読み出された前記位相差検出画素の画素データと前記位相差検出画素の周辺の画素データからの補間データとの適用割合を切り替えるように補正処理する際に、前記設定された読み出し方式に応じて読み出された前記位相差検出画素の画素データのゲイン調整を行い、前記ゲイン調整された位相差検出画素の画素データと該位相差検出画素の周辺の撮像画素の画素データとを重み付け加算し、前記設定された読み出し方式に応じて前記重み付け加算の際の重み付け係数を前記適用割合として決定する際に、前記設定された読み出し方式に応じて前記ゲイン調整の際のゲイン調整量を切り替え、前記設定された読み出し方式に応じて読み出された画素データにおける前記位相差検出画素の画素データの混入率が高くなるほど、前記ゲイン調整された位相差検出画素の画素データの重み付け係数を小さくすることを特徴とする。
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】変更
【補正の内容】
【００１０】
本発明によれば、位相差検出画素を有する撮像素子を備えた撮像装置において、位相差検出画素による画質の低下を抑えることが可能な撮像装置及びその制御方法を提供することができる。